(57)【要約】【課題】高い付加価値を有し、捨て置かれることのないキャップの付帯する鋏を提供する。【解決手段】刀身部８２と指掛部８４を有する一対の鋏片８２・８２が支軸９１を介して開閉自在に交差連結された鋏本体８１と、該鋏本体８１の刀身部８２・８２に着脱自在に装着されるキャップ１１との組とする。そして、鋏本体８１は、前記鋏片８２の刀身部８３と指掛部８４との間に幅方向外側に屈曲するアーム部８５を連設する。キャップ１１は、前記鋏本体８１の刀身部８３を保護する保護カバー部１２とルーペ７１を有するルーペ部１３とで構成し、刀身部８３・８３を閉じてキャップ１１を装着した状態で前記屈曲したアーム部８５・８５一対が閉じ合わさることによって生じる間隙５１を通してルーペ７１を覗くことができるように保護カバー部１２にルーペ部１３を取り付ける。【選択図】図１
2012249819.tif 000002
【特許請求の範囲】
【請求項１】
刀身部と指掛部を有する一対の鋏片が支軸を介して開閉自在に交差連結された鋏本体と、該鋏本体の刀身部に着脱自在に装着されるキャップとの組であって、鋏本体は、前記鋏片の刀身部と指掛部との間に幅方向外側に屈曲するアーム部を連設し、
キャップは、前記鋏本体の刀身部を保護する保護カバー部とルーペを有するルーペ部とからなり、
刀身部を閉じてキャップを装着した状態で前記屈曲するアーム部一対が閉じ合わさることによって生じる間隙を通してルーペを覗くことができるように保護カバー部にルーペ部を取り付けたことを特徴とする鋏。
【請求項２】
前記アーム部が、幅方向外側に略半円形状に湾曲して形成され、アーム部一対が閉じ合わされることによって生じる間隙が略円形状となることを特徴とする請求項１記載の鋏。
【請求項３】
前記キャップのルーペ部が、保護カバー部に起倒可能に取り付けられ、刀身部に保護カバー部を装着した状態でルーペ部を倒すと、前記一対のアーム部間に生ずる間隙内に嵌合収容されることを特徴とする請求項１または請求項２に記載の鋏。
【発明の詳細な説明】
【技術分野】
【０００１】
本発明は、鋏に関し、更に詳しくは刀身部に被せるための鞘状のキャップを付帯した鋏に関する。
【背景技術】
【０００２】
特に学童用の鋏では、安全性を考慮して刀身部保護用のキャップが付帯されている（例えば特許文献１）。
【先行技術文献】
【特許文献】
【０００３】
【特許文献１】特開２０１１−７２７４５号公報
【発明の概要】
【発明が解決しようとする課題】
【０００４】
しかしながら、学童にとってこうしたキャップの重要性はさほど認識されるものではなく、着脱の面倒からすぐに捨て置かれてそのまま紛失することが多かった。
【０００５】
本発明は、このような従来のキャップ付き鋏の問題を鑑みてなされたものであって、その目的は、高い付加価値を有し、捨て置かれることのないキャップの付帯する鋏を提供することにある。
【課題を解決するための手段】
【０００６】
かかる目的を達成するために本発明は、刀身部と指掛部を有する一対の鋏片が支軸を介して開閉自在に交差連結された鋏本体と、該鋏本体の刀身部に着脱自在に装着されるキャップとの組であって、鋏本体は、前記鋏片の刀身部と指掛部との間に幅方向外側に屈曲するアーム部を連設し、キャップは、前記鋏本体の刀身部を保護する保護カバー部とルーペを有するルーペ部とからなり、刀身部を閉じてキャップを装着した状態で前記屈曲するアーム部一対が閉じ合わさることによって生じる間隙を通してルーペを覗くことができるように保護カバー部にルーペ部を取り付けたことを特徴とするものである。
【０００７】
こうした構成をとることによって、本発明の鋏に付帯されるキャップは、鋏本体の刀身部に装着した状態にあっても取り外した状態にあってもルーペとして使用することができ、かかる付加価値によって捨て置かれて紛失するということがなくなる。さらに、鋏とルーペをそれぞれ単体で別個に所有する場合に比して保管の際に嵩張らず、取り扱いやすいという利点を有する。
【０００８】
なお、アーム部は、略半円形状に幅方向外側に湾曲して形成されたものとし、一対のアーム部が閉じ合わされた状態で略円形状の間隙が生ずるようにしてもよい。
【０００９】
こうした構成をとることによって、ルーペ部に対するアーム部側の間隙に無駄がなくなり、全体のサイズが小さくなるという利点がある。
【００１０】
さらに、キャップは、ルーペ部を保護カバー部に起倒可能に取り付け、刀身部に保護カバー部を装着した状態でルーペ部を倒すと前記アーム部の間隙内に嵌合収容されるものとしてもよい。
【００１１】
こうした構成をとることによって、ルーペ部がロック機構としての役割を有し、キャップが不用意に外れることがなくなる。またルーペ部が閉じ合わされたアーム部の間隙内に収容されるのでルーペ部の厚みによる嵩張りがなくなり、全体がコンパクトになるという利点が生ずる。
【発明の効果】
【００１２】
本発明にかかる鋏に付帯するキャップは、ルーペが備えられているために高い付加価値を有し、捨て置かれて紛失することがない。
【図面の簡単な説明】
【００１３】
【図１】本発明にかかる鋏の第１実施形態を示す斜視図。
【図２】同、（ａ）は平面図、（ｂ）は側面図。
【図３】同、キャップを外した状態の斜視図。
【図４】同、下方から見たキャップの斜視図。
【図５】本発明にかかる鋏の第２実施形態を示す斜視図。
【図６】同、（ａ）は平面図、（ｂ）は側面図。
【図７】同、キャップを外した状態の斜視図。
【図８】同、下方から見たキャップの分解斜視図。
【発明を実施するための形態】
【００１４】
以下、本発明にかかる鋏の実施形態を図に基づき説明するが、これに限定されるものではない。なお、ここでは便宜上、鋏の支軸を基点とし、鋏の刀身部側を前方、指掛部側を後方として説明している。
【００１５】
≪第１実施形態≫
図１ないし図４は本発明にかかる鋏の第１実施形態を示しており、図１は斜視図、図２の（ａ）は平面図、（ｂ）は側面図、図３はキャップを外した状態の斜視図、図４は下方から見たキャップの斜視図である。
【００１６】
図において、鋏１０は鋏本体８１とキャップ１１とで構成されている。
【００１７】
このうち鋏本体８１は、一対の鋏片８２・８２を向かい合わせにしたものを支軸９１によって開閉自在に交差連結したものである。
【００１８】
鋏片８２は、刀身部８３と指掛部８４そしてこれらを連結するアーム部８５とからなっている。刀身部８３とアーム部８５は、ステンレス鋼板等の金属板を素材として一体的にプレス加工して形成されており、アーム部８５は刀身部８３の基端部から延出して幅方向外側に略半円形状に湾曲している。また、刀身部８３の基端部の幅方向略中央には支軸９１を挿通するための孔（図示せず）が穿設されている。アーム部８５には、刀身部８３の基端部を出発点としてそこより３分の１程後方に延出した位置から合成樹脂製のアームカバー８６が被せられている。このアームカバー８６はそのまま更に後方に延出してリング状の指掛部８４と一体になっている。
【００１９】
キャップ１１は、保護カバー部１２と、ルーペ７１を有するルーペ部１３とで構成されており、保護カバー部１２と、ルーペ７１を除くルーペ部１３とは合成樹脂によって一体に形成されている。
【００２０】
保護カバー部１２は、刀身部８３・８３を閉じた状態で収容し保護するための鞘状のものであって、これの底壁１４および天壁１５は、刀身部８３の形状に合わせて先端（刃先側）に向かって先細り形状をなしている。底壁１４と天壁１５の側縁は側壁１６・１６によって開口部６１を除いて一体的に連結されており、該開口部６１から閉じた刀身部８３・８３を差し込んで収容するようになっている。
【００２１】
底壁１４の開口縁略中央部は、図４の円内に拡大して示すように、刀身部８３を収容した際に支軸９１が嵌り込むための切り欠き１４ａが略Ｕ字形状に切り欠かれており、該切り欠き１４ａの両側縁相対向する位置からは支軸９１の下側を係止するための凸部１４ｂ・１４ｂが内側（お互いが接近する方向）に向かってそれぞれ形成されている。また、天壁１５は、刀身部８３・８３を収容した際に支軸９１に当接する位置から上方に立ち上がり、その上端縁から前方に向かってルーペ部１３が延設されている。
【００２２】
ルーペ部１３は、円環状の枠部１７、該枠部１７と前記天壁１５の先端部とを連結する支持部１８、枠部１７内に嵌め込まれたルーペ７１とで構成されている。支持部１８の裏面には支軸９１を案内誘導するため奥行き方向に伸びる二本の案内条１８ａ・１８ａが下向きに立設されている。この案内条１８ａ・１８ａの側壁内側には、前記支軸９１の下側を係止するため底壁１４側に形成された凸部１４ｂ・１４ｂに対応する位置に、同じく支軸９１の上側を係止するための凸部１８ｂ・１８ｂが内側（お互いが接近する方向）に向かって形成されている。
【００２３】
鋏本体８１の刀身部８３・８３にいったん装着された保護カバー部１２は、鋏本体８１側の支軸９１がこの凸部１４ｂ・１４ｂと１８ｂ・１８ｂによって係止されるため不用意にはずれることがない。
【００２４】
また、装着状態にあるとき、ルーペ部１３は、略半円形状に湾曲したアーム部８５・８５が閉じ合わさることによって生ずる略円形状の間隙５１にルーペ７１が平面視で同心円状に重なり、該間隙５１を通してルーペ７１を覗くことができるようになっている。
【００２５】
以上の構成をもつ鋏１０は、次のようにして使用する。
【００２６】
まず、鋏として使用する場合。鋏本体８１は、形態的な特徴として一対のアーム部８５・８５が幅方向外外側にそれぞれ大きく湾曲している。しかしながら、それは鋏本来の機能に影響をもたらすものではない。したがって、本願の鋏１０は通常的な鋏と何ら変わることのない使用が可能である。一方、このとき単体で置かれているキャップ１１は、鋏本体と関わりなくルーペとして別途に使用することができる。
【００２７】
次に、鋏としての使用を終えたとき。刃先の保護および安全のため、閉じられた状態にある刀身部８３・８３にキャップ１１の保護カバー部１２を被せておく。具体的には、刀身部８３・８３を保護カバー部１２の開口部６１から内側に向かって差し入れる。このとき、底壁１４と支持部１８に形成された係止用の凸部１４ｂ・１４ｂと１８ｂ・１８ｂは外側（お互いが離れる方向）に弾性変形して支軸９１を通過させる。
そして、切り欠き１４ａの内周縁奥端に鋏本体８１側の支軸９１が達すると、凸部１４ｂ・１４ｂと１８ｂ・１８ｂが弾性復元力によって元の状態に戻り、支軸９１の前方周縁部をそれぞれ上下で係止して装着完了となる。凸部１４ｂ・１４ｂ・１８ｂ・１８ｂが支軸９１を係止することによって不用意に保護カバー部１２が外れることを防いでいる。
【００２８】
そして、キャップ１１がこの装着状態にあるときにも、ルーペ７１は、アーム部８５・８５間に生じた間隙５１を通して覗くことができる。なお、キャップ１１をルーペとして使用するときには保護カバー部１２を掴んで柄として使用する。
【００２９】
このように、本願発明にかかる鋏１０に付帯するキャップ１１は、鋏本体８１に装着した状態であっても別体として置かれている状態であってもルーペとして使用することができる。したがって高い付加価値をもち、捨て置かれることがない。また、保管時にはキャップ１１を装着した状態のほうが嵩張らず扱いやすいため自然に装着が習慣付けられ、安全性が高まるという利点もある。
【００３０】
≪第２実施形態≫
図５ないし図８は本願発明にかかる鋏の第２実施形態を示しており、図５はキャップを装着した状態の斜視図、図６（ａ）は平面図、（ｂ）は側面図、図７はキャップをはずした状態の斜視図、図８は下方から見たキャップの斜視図である。
【００３１】
図において、鋏２０は鋏本体８１とキャップ２１とで構成されている。
【００３２】
このうち鋏本体８１は、第１実施形態で説明した鋏本体８１と同一であるので同一符号を付し、説明を省略する。
【００３３】
次にキャップ２１は、保護カバー部２２とルーペ部２３とで構成されている。
【００３４】
保護カバー部２２は、閉じた状態の刀身部８３・８３を収容して保護するためのものであって、これの底壁２４および天壁２５は、刀身部８３の形状に合わせて先端（刃先側）に向かって先細り形状をなしている。底壁２４と天壁２５の側縁は側壁２６によって開口部６２を除いて一体的につながっており、該開口部６２から閉じた刀身部８３・８３を差し込んで収容することができるようになっている。
【００３５】
そして、底壁２４と天壁２５の開口縁略中央部は、刀身部８３・８３を収容した際に支軸９１が嵌り込むための切り欠き２４ａ・２５ａが略Ｕ字形状にそれぞれ切り欠かれており、該切り欠き２４ａ・２５ａの両側縁相対向する位置からは鋏本体８１側の支軸９１の上側および下側を係止するための係止用の凸部２４ｂ・２４ｂと２５ｂ・２５ｂが内側（お互いが接近する方向）に向かってそれぞれ形成されている。また、左右の側壁２６・２６外側には、ルーペ部２３を上下方向起倒可能に取り付けるための支持軸２６ａ・２６ａがそれぞれ凸設されている。
【００３６】
ルーペ部２３は、保護カバー部２２とは別体に形成されており、円環状の枠部２７、該枠部２７の一端から延出する支持部２８、枠部２７の内周面に嵌め込まれたルーペ７１で構成されている。
【００３７】
このうち枠部２７と支持部２８は合成樹脂によって一体に形成されており、支持部２８の延出端縁略中央部には鋏本体８１側の支軸９１を通すための切り欠き２８ａが切り欠かれ、左右の側端縁には下方に向かって側壁２９・２９が延設されている。また、該側壁２９・２９には支持孔２９ａ・２９ａが穿設されており、ここに保護カバー部２２側の側壁２６・２６側に凸設された支持軸２６ａ・２６ａが回動自在に嵌め合わされることによってルーペ部２３が起倒可能となっている。
【００３８】
さらに、枠部２７の外周縁上縁と下縁からは、閉じた状態で指掛部８４・８４と枠部２７との間に生ずる間隙に向かって水平方向に摘み片２７ａ・２７ｂがそれぞれ延出している。
【００３９】
以上の構成をもつ鋏２０は、次のようにして使用する。
【００４０】
まず、鋏本体８１を使用しない場合。鋏本体８１の刀身部８３・８３にはキャップ２１の保護カバー部２２を装着しておく。このとき、ルーペ部２３の枠部２７は、略半円形状に湾曲したアーム部８５・８５が閉じられたことによって生じる略円形状の間隙５１に嵌り込んでおり、このままの状態で鋏本体８１を引き抜こうとしてもアーム部８５・８５にルーペ部２３の枠部２７が引っ掛かって引き抜くことができないようになっている。すなわち、この第２実施形態におけるルーペ部２３は、ルーペ機能に加えて保護カバー部２２が不用意に外れないためのロック機構としての役割をも果たしている。
【００４１】
次に、鋏本体８１を使用するときには、最初にルーペ部２３の枠部２７外周縁下側に延設された摘み片２７ｂを押し上げる。そうすると枠部２７が支持軸２６ａ・２６ａを支点として少し浮き上がるので、今度は枠部２７の上側に延設された摘み片２７ａを摘まんで枠部２７がアーム部８５に引っ掛らない位置まで引き起こす。あとは、鋏本体８１を引き抜くと使用可能となる。
【００４２】
引き抜く際にルーペ部２３を上方に引き起こした状態のままにしておくためには、支持部２８の左右の側壁２９・２９を挟持しておけばよいが、側壁２９・２９間の幅寸法を保護カバー部２２の幅よりも少し狭くしておき、起倒時の褶動の際に生じる摩擦抵抗を大きくして自立可能とするものであってもよい。また双方（保護カバー部２２とルーペ部２３）の側壁２６・２９の内外に向かい合わせに凸部と凹部を形成しておき、引き起こした状態になったときに係合して位置固定されるようにしておくものであってもよい。また、同様に枠部２７が水平状態あるときに係合する凸部と凹部をそれぞれの側壁２６・２９に形成しておけば、キャップ２１をはずして単体でルーペとして使用する際のルーペ部２３の揺動を防ぐことができて好適である。
【００４３】
なお、ここでのアーム部は幅方向外側に略半円状に湾曲するものとしたが、これに限らず、例えばカギ状に屈曲するものであってもよく、要は双方のアーム部が、装着状態にあるときにルーペの視界の妨げにならなければよい。また、第２実施形態のようにルーペ部を起倒可能としてロック機構を兼ねるものにあっては、ルーペ部が嵌合収容可能な形態の間隙であればよい。また、ルーペ部も円環状に形成されたものに限らず、例えば外周が平面視で矩形に形成されたものであってもよい。
【００４４】
さらにまた、ここでは鋏本体を構成する一対の鋏片は、同一形状のものを向かい合わせにしたものとしたが、これに限定されるものではなく、例えば指掛部は、使用するそれぞれの指に合わせた形状であってもよい。
【符号の説明】
【００４５】
１０、２０          鋏
１１、２１          キャップ
１２、２２          保護カバー部  
１３、２３          ルーペ部
７１                ルーペ        
８１                鋏本体
８２                鋏片                        
【図１】
2012249819.tif 000003
【図２】
2012249819.tif 000004
【図３】
2012249819.tif 000005
【図４】
2012249819.tif 000006
【図５】
2012249819.tif 000007
【図６】
2012249819.tif 000008
【図７】
2012249819.tif 000009
【図８】
2012249819.tif 000010
【手続補正書】
【提出日】平成23年8月23日(2011.8.23)
【手続補正１】
【補正対象書類名】特許請求の範囲
【補正対象項目名】請求項１
【補正方法】変更
【補正の内容】
【請求項１】
刀身部と指掛部を有する一対の鋏片が支軸を介して開閉自在に交差連結された鋏本体と、該鋏本体の刀身部に着脱自在に装着されるキャップとの組であって、鋏本体は、前記鋏片の刀身部と指掛部との間に幅方向外側に屈曲するアーム部を連設し、
キャップは、前記鋏本体の刀身部を保護する保護カバー部と、ルーペを有し該ルーペを支持するルーペ部とからなり、
刀身部を閉じてキャップを装着した状態で、前記ルーペと、前記屈曲するアーム部一対が閉じ合わさることによって生じる間隙とが平面視で重なり合い、該間隙を通してルーペを覗くことができるように保護カバー部にルーペ部を取り付けたことを特徴とする鋏。
【手続補正２】
【補正対象書類名】特許請求の範囲
【補正対象項目名】請求項２
【補正方法】変更
【補正の内容】
【請求項２】
前記アーム部が、幅方向外側に略半円形状に湾曲して形成され、アーム部一対が閉じ合わされることによって生じる間隙が略円形状となるとともに、前記キャップを装着した状態で該間隙が前記ルーペと水平視で同心円状に重なり合うことを特徴とする請求項１記載の鋏。
【手続補正３】
【補正対象書類名】明細書
【補正対象項目名】０００６
【補正方法】変更
【補正の内容】
【０００６】
かかる目的を達成するために本発明の鋏は、刀身部と指掛部を有する一対の鋏片が支軸を介して開閉自在に交差連結された鋏本体と、該鋏本体の刀身部に着脱自在に装着されるキャップとの組であって、鋏本体は、前記鋏片の刀身部と指掛部との間に幅方向外側に屈曲するアーム部を連設し、キャップは、前記鋏本体の刀身部を保護する保護カバー部と、ルーペを有し該ルーペを支持するルーペ部とからなり、刀身部を閉じてキャップを装着した状態で、前記ルーペと、前記屈曲するアーム部一対が閉じ合わさることによって生じる間隙とが平面視で重なり合い、該間隙を通してルーペを覗くことができるように保護カバー部にルーペ部を取り付けたことを特徴とするものである。
【手続補正４】
【補正対象書類名】明細書
【補正対象項目名】０００８
【補正方法】変更
【補正の内容】
【０００８】
なお、それぞれのアーム部は、略半円形状に幅方向外側に湾曲して形成されたものとし、アーム部一対が閉じ合わされることによって生じる間隙が略円形状となるようにするとともに、キャップを装着した状態でこの間隙がルーペと水平視で同心円状に重なり合うようにしてもよい。